(57)【要約】  【課題】本発明は、ＲＦＩＤラベルシート及びＲＦＩＤラベルに関し、外部力の影響を受けることなく材料の無駄を削減し、物品表面に対してＲＦＩＤインレットを離隔させる新たな形態とさせることを目的とする。  【解決手段】ＲＦＩＤインレット１３を備えるラベル上紙１２に粘着剤層１５Ａ，１５Ｂを介して設けられる剥離紙１４に、ＲＦＩＤインレット１３を含む領域に対応される箇所に切取線１６が形成されることで物品への貼付の際に残存させる介在部材１４Ｂとさせるものであり、当該介在部材１４Ｂに物品２１への貼付の際に一の巻込折り形状の曲げ加工させるための加工線１７Ａ，１７Ｂを形成させる構成とする。  【選択図】  図２
2010026678.tif 000002
【特許請求の範囲】
【請求項１】
物品に貼付されることで当該物品に関する情報について非接触でリーダライタと通信可能とされるＲＦＩＤラベルシートであって、
少なくともアンテナ部及びＩＣチップで構成されるＩＣモジュールが形成されるＲＦＩＤインレットを備えるラベル上紙と、
前記ラベル上紙の裏面側の少なくとも外側周辺に設けられる粘着剤層と、
前記粘着剤層を介して前記ラベル上紙の裏面に設けられ、前記ＲＦＩＤインレットを含む領域に対応される箇所に切取線が形成されることで前記物品への貼付の際に残存させる介在部材とさせるものであり、当該介在部材に貼付の際に曲げ加工させるための所定数の加工線が形成される剥離紙と、
を有することを特徴とするＲＦＩＤラベルシート。
【請求項２】
請求項１記載のＲＦＩＤラベルシートであって、前記加工線は、前記貼付の際に、一の巻込折り、二つの巻込折りの重ね、又は、内部空間を有した湾曲折りの曲げ加工させるためのものであることを特徴とするＲＦＩＤラベルシート。
【請求項３】
少なくともアンテナ部及びＩＣチップで構成されるＩＣモジュールが形成され、物品に関する情報について非接触でリーダライタと通信されるＲＦＩＤインレットを備えるラベル上紙の裏面に粘着剤層を介して剥離紙が設けられたＲＦＩＤラベルシートより、当該ＲＦＩＤインレットを含む領域に対応する以外の上記剥離紙の一部を剥離させて当該物品に貼付されるＲＦＩＤラベルであって、
前記ラベル上紙の裏面側で少なくとも前記ＲＦＩＤインレットを含む領域で残存された剥離紙が所定数の加工線により所定形状に曲げ加工されて前記物品表面との間に介在される介在部材を有することを特徴とするＲＦＩＤラベル。
【請求項４】
請求項３記載のＲＦＩＤラベルであって、前記介在部材の前記加工線で曲げ加工された形状は、一の巻込折り、二つの巻込折りの重ね、又は、内部空間を有した湾曲折りであることを特徴とするＲＦＩＤラベル。
【発明の詳細な説明】
【技術分野】
【０００１】
本発明は、ＲＦＩＤ（Ｒａｄｉｏ  Ｆｒｅｑｕｅｎｃｙ  Ｉｄｅｎｔｉｆｉｃａｔｉｏｎ）を物品に貼り付けてリーダライタと非接触で通信を行わせるためのＲＦＩＤラベルシート及びＲＦＩＤラベルに関する。
【背景技術】
【０００２】
近年、ＲＦＩＤと称される非接触型ＩＣメディアに関する技術が急速に進歩してきており、搭載されるＩＣチップが小型かつ安価になってきている。このＲＦＩＤは、基材にアンテナ部となるアンテナパターンを形成してＩＣチップを搭載したインレットと称されるものを他のベース基材に貼着されることなどにより作製され、当該他のベース基材に粘着剤を塗布されることでＲＦＩＤラベルとされる。このようなＲＦＩＤラベルは、物品に貼り付けられ、リーダライタとの非接触の通信により物品管理等に利用されるが、貼り付けられる物品の表面が金属等の場合の通信障害を回避させる必要がある。
【０００３】
従来、ＲＦＩＤラベルを通信障害の生じ易い金属等の物品に貼付させる場合、ＲＦＩＤインレットを金属表面より離隔すればするほど通信障害を回避させ易いことが知られており、そのためのＲＦＩＤラベルが種々提案されている。例えば、ＲＦＩＤラベルを金属表面物品に貼付させる際に、ＲＦＩＤインレットの部分を単独で折り立てることや（特許文献１）、ＲＦＩＤインレットの部分と物品の金属表面との間に空間領域を形成させるように折った形状とさせることや（特許文献２，４）、また、ＲＦＩＤラベルシートを中空四角柱に折り込んで立設させること（特許文献３）が提案されている。
【０００４】
さらに、ＲＦＩＤインレットの部分を物品の金属表面から離隔するために、ＲＦＩＤインレットが形成されたラベル基体の一部を、当該ＲＦＩＤインレットを挟み込むように折り込んで台紙に仮着しておき、当該ラベル基体を台紙より分離し、当該被着体上に折り部分を立設させて貼付することによりＲＦＩＤインレットを離隔させることも提案されている（特許文献５）。
【０００５】
【特許文献１】特開２００７−１２２５４２号公報
【特許文献２】特開２００７−１６４３９９号公報
【特許文献３】特開２００７−１７２３６９号公報
【特許文献４】特開２００７−２６４８６８号公報
【特許文献５】特開２００７−２７１７０７号公報
【発明の開示】
【発明が解決しようとする課題】
【０００６】
しかしながら、特許文献１〜５のように、ＲＦＩＤインレット部分を折り立てたり、立設させたりすることや、物品表面との間に空間領域を設けることは外部からの力によって潰れることがあって、例えば物品を重ねることや隙間なく並べることができないという問題がある。また、特許文献５ではラベル基体の一部をＲＦＩＤインレットの部分を挟み込ませることから当該折り込む分のラベル基体の材料が必要になるという問題がある。
【０００７】
そこで、本発明は上記課題に鑑みなされたもので、外部力の影響を受けることなく材料の無駄を削減し、物品表面に対してＲＦＩＤインレットを離隔させる新たな形態とさせるＲＦＩＤラベルシート及びＲＦＩＤラベルを提供することを目的とする。
【課題を解決するための手段】
【０００８】
上記課題を解決するために、請求項１の発明では、物品に貼付されることで当該物品に関する情報について非接触でリーダライタと通信可能とされるＲＦＩＤラベルシートであって、少なくともアンテナ部及びＩＣチップで構成されるＩＣモジュールが形成されるＲＦＩＤインレットを備えるラベル上紙と、前記ラベル上紙の裏面側の少なくとも外側周辺に設けられる粘着剤層と、前記粘着剤層を介して前記ラベル上紙の裏面に設けられ、前記ＲＦＩＤインレットを含む領域に対応される箇所に切取線が形成されることで前記物品への貼付の際に残存させる介在部材とさせるものであり、当該介在部材に貼付の際に曲げ加工させるための所定数の加工線が形成される剥離紙と、を有する構成とする。
【０００９】
請求項２の発明では、請求項１記載のＲＦＩＤラベルシートであって、前記加工線は、前記貼付の際に、一の巻込折り、二つの巻込折りの重ね、又は、内部空間を有した湾曲折りの曲げ加工させるためのものである構成である。
【００１０】
請求項３の発明では、少なくともアンテナ部及びＩＣチップで構成されるＩＣモジュールが形成され、物品に関する情報について非接触でリーダライタと通信されるＲＦＩＤインレットを備えるラベル上紙の裏面に粘着剤層を介して剥離紙が設けられたＲＦＩＤラベルシートより、当該ＲＦＩＤインレットを含む領域に対応する以外の上記剥離紙の一部を剥離させて当該物品に貼付されるＲＦＩＤラベルであって、前記ラベル上紙の裏面側で少なくとも前記ＲＦＩＤインレットを含む領域で残存された剥離紙が所定数の加工線により所定形状に曲げ加工されて前記物品表面との間に介在される介在部材と、を有する構成とする。
【００１１】
請求項４の発明では、請求項３記載のＲＦＩＤラベルであって、前記介在部材の前記加工線で曲げ加工された形状は、一の巻込折り、二つの巻込折りの重ね、又は、内部空間を有した湾曲折りである構成である。
【発明の効果】
【００１２】
請求項１，２の発明によれば、ＲＦＩＤインレットを備えるラベル上紙に粘着剤層を介して設けられる剥離紙に、ＲＦＩＤインレットを含む領域に対応される箇所に切取線が形成されることで物品への貼付の際に残存させる介在部材とさせるものであり、当該介在部材に貼付の際に曲げ加工させるための所定数の加工線を形成させる構成とすることにより、物品表面との間に残存させた剥離紙を曲げ加工した介在部材を介在させることが可能となって外部力の影響を回避させることが可能となり、また、剥離紙の一部で介在部材を形成させることから材料の無駄を削減することが可能となり、介在部材によって物品表面に対してＲＦＩＤインレットを離隔させる新たな形態とさせることができるものである。
【００１３】
請求項３，４の発明によれば、ＲＦＩＤインレットを備えるラベル上紙の裏面に粘着剤層を介して剥離紙が設けられたＲＦＩＤラベルシートより、当該ＲＦＩＤインレットを含む領域に対応する以外の上記剥離紙の一部を剥離させて当該物品に貼付されるものであり、ラベル上紙の裏面側で少なくともＲＦＩＤインレットを含む領域で残存された剥離紙が所定数の加工線により所定形状に曲げ加工されて貼付される物品表面との間に介在部材を介在させる構成とすることにより、物品表面との間に残存させた剥離紙を曲げ加工した介在部材を介在させることから外部力の影響を回避させることができ、また、剥離紙の一部で介在部材を形成させることから材料の無駄を削減することができ、介在部材によって物品表面に対してＲＦＩＤインレットを離隔させる新たな形態とさせることができるものである。
【発明を実施するための最良の形態】
【００１４】
以下、本発明の最良の実施形態を図により説明する。本発明では、物品への貼付以前の形態をＲＦＩＤラベルシートと称し、物品に貼付させるための形態をＲＦＩＤラベルと称する。
【００１５】
図１に、本発明に係るＲＦＩＤラベルシートの第１実施形態の構成図を示す。図１（Ａ）、（Ｂ）において、ＲＦＩＤラベルシート１１は、ラベル上紙１２がＲＦＩＤインレット１３を備える。ＲＦＩＤインレット１３は、アンテナ部及びＩＣチップで構成されるＩＣモジュールが形成されたもので従前のものと同様のものである。例えば、ＲＦＩＤインレット１３を、基材にアンテナ部を導電性インキで印刷により形成し、当該アンテナ部の端部にＩＣチップを実装させ、他の基材を貼り付けることによってＲＦＩＤインレット１３を備えるラベル上紙１２としたものであるが、上記他の基材を貼り付けない形態であってもよい。当該ラベル上紙１２は、その材質として紙類の他にフィルム材を含む概念である。
【００１６】
一方、剥離紙１４は、図１（Ａ）、（Ｃ）に示すように、粘着剤層１５Ａ，１５Ｂを介してラベル上紙１２の裏面の全面に設けられ、ＲＦＩＤインレット１３を含む領域に対応される箇所に当該剥離紙材を貫通させた切取線１６が形成されることで物品への貼付の際に残存させる介在部材１４Ｂとさせるものであり、当該介在部材１４Ｂに貼付の際に曲げ加工させるための加工線１７Ａ，１７Ｂが形成される。当該加工線１７Ａ，１７Ｂは、例えばミシン線、レーザ光によるハーフカット線により形成される。すなわち、剥離紙１４の上記介在部材１４Ｂ以外の部分が物品への貼付の際に剥離される一部の剥離紙１４Ａとなる。剥離紙１４Ａ，１４Ｂとしては、剥離剤層が塗布された紙類やフィルム材で形成される。なお、剥離紙１４Ａ，１４Ｂを区画する切取線１６は、当該剥離紙１４Ａと剥離紙１４Ｂとが一部繋がった形態としてもよい。
【００１７】
また、粘着剤層１５は当該一部の剥離紙１４Ａに対応する粘着剤層１５Ａと、介在部材１４Ｂの加工線１７Ａ，１７Ｂで区画された領域のうち、ＲＦＩＤインレット１３に対応する領域（中領域）に対応する粘着剤層１５Ｂとで構成される。なお、粘着剤の被塗布部分を設けずに、全面に塗布させた粘着剤層としてもよい。
【００１８】
そこで、図２に、図１のＲＦＩＤラベルシートを物品に貼付させる形態のＲＦＩＤラベルの説明図を示す。まず、図２（Ａ）に示すＲＦＩＤラベルシート１１から、図２（Ｂ）に示すように一部の剥離紙１４Ａを切取線１６で剥離する。これによって粘着剤層１５Ａが表出され、介在部材１４Ｂが残存した状態となる。
【００１９】
続いて、図２（Ｃ）に示すように、剥離紙１４の残存した介在部材１４Ｂを、加工線１７Ａで内側に折り込み、さらにその上に、図２（Ｄ）に示すように加工線１７Ｂで内側に折り込むことで、一の巻込折りの形態とさせることにより、ＲＦＩＤラベル１１Ａとなる。そして、図２（Ｅ）に示すように、ＲＦＩＤラベル１１Ａを、金属表面の物品２１に、当該一の巻込折りの介在部材１４Ｂをその表面との間に介在させ、粘着剤層１５Ａにより貼付させるものである。
【００２０】
このように、物品２１の表面との間に残存させた剥離紙１４を加工線１７Ａ，１７Ｂで一の巻込折りに曲げ加工した介在部材１４Ｂを介在させることから外部力の影響を回避させることができ、また、剥離紙１４の一部で介在部材１４Ｂを形成させることから材料の無駄を削減することができ、介在部材１４Ｂによって物品２１の表面に対してＲＦＩＤインレット１３を離隔させる新たな形態とさせることができるものである。
【００２１】
次に、図３に、本発明に係るＲＦＩＤラベルシートの第２実施形態の構成図を示す。図３（Ａ）、（Ｂ）において、ＲＦＩＤラベルシート１１は、剥離紙１４のうち、ＲＦＩＤインレット１３を含む領域の介在部材１４Ｂを、ＲＦＩＤインレット１３に対応する領域を片側に位置させた形態とする上記切取線１６を形成し、加工線１７Ａによって第１の介在部材１４Ｂ１と第２の介在部材１４Ｂ２と区画したものである。この場合、第１の介在部材１４Ｂ１の長さＬ１と第２の介在部材１４Ｂ２の長さＬ２との関係をＬ１＜Ｌ２としている。
【００２２】
なお、この場合においても、粘着剤層１５は当該一部の剥離紙１４Ａに対応する粘着剤層１５Ａと、介在部材１４Ｂの加工線１７Ａで区画された第１及び第２の介在部材１４Ｂ１，１４Ｂ２の区画領域のうち、ＲＦＩＤインレット１３に対応する介在部材１４Ｂ１の領域に対応する粘着剤層１５Ｂとで構成される。また、粘着剤の被塗布部分を設けずに、全面に塗布させた粘着剤層としてもよいことは上記同様である。
【００２３】
そこで、図４に、図３のＲＦＩＤラベルシートを物品に貼付させる形態のＲＦＩＤラベルの説明図を示す。まず、図３（Ａ）に示すＲＦＩＤラベルシート１１から、図４（Ａ）に示すように一部の剥離紙１４Ａを切取線１６で剥離する。これによって粘着剤層１５Ａが表出され、第１及び第２の介在部材１４Ｂ１，１４Ｂ２が残存した状態となる。
【００２４】
続いて、図４（Ｂ）に示すように、剥離紙１４の残存した介在部材１４Ｂ２を、加工線１７Ａで第１の介在部材１４Ｂ１側に内部空間を有した湾曲折りに折り込むことでＲＦＩＤラベル１１Ａとさせる。そして、図４（Ｃ）に示すように、ＲＦＩＤラベル１１Ａを、金属表面の物品２１に、当該内部空間を有した湾曲折りの介在部材１４Ｂ２をその表面との間に介在させ、粘着剤層１５Ａにより貼付させるものである。
【００２５】
このような構成とすることによっても、上記同様の効果を奏することができるものであるが、外部力に関しては、一旦は潰れた状態となるものの、その湾曲形状による復元力で元通りでないが、ある程度内部空間が復元されるもので外部力の影響を回避、若しくは軽減させることができるものである。
【００２６】
次に、図５に、本発明に係るＲＦＩＤラベルシート及びＲＦＩＤラベルの第３実施形態の構成図を示す。図５に示す第３実施形態は、上記第２実施形態（図３、図４）の加工線１７Ａに代えて上記第２の介在部材１４Ｂ２に相当する部分に複数の加工線１７Ｃを、図５（Ａ）に示すように、例えばレーザ光によるハーフカット（ミシン線でもよい）で形成したものである。
【００２７】
すなわち、図５（Ｂ）に示すように、ＲＦＩＤラベルシート１１から一部の剥離紙１４Ａを切取線１６で剥離することによって粘着剤層１５Ａが表出され、介在部材１４Ｂが残存した状態となる。続いて、図５（Ｃ）に示すように、剥離紙１４の残存した介在部材１４Ｂを、加工線１７Ｃにより端部からＲＦＩＤインレット１３側に巻回状態で巻き込むことで一の巻折り形態が粘着剤層１５Ｂに貼着された形態のＲＦＩＤラベル１１Ａとさせる。そして、図５（Ｄ）に示すように、ＲＦＩＤラベル１１Ａを、金属表面の物品２１に、一の巻込折りの介在部材１４Ｂをその表面との間に介在させ、粘着剤層１５Ａにより貼付させるものである。
【００２８】
このように構成することによっても、上記同様に、外部力の影響を回避させることができ、また、材料の無駄を削減することができ、介在部材１４Ｂによって物品２１の表面に対してＲＦＩＤインレット１３を離隔させる新たな形態とさせることができるものである。
【００２９】
次に、図６に、本発明に係るＲＦＩＤラベルシート及びＲＦＩＤラベルの第４実施形態の構成図を示す。図６に示す第４実施形態は、図１、図２に示す第１実施形態における介在部材１４Ｂに形成された加工線１７Ａ，１７Ｂに代えて複数の加工線１７Ｃを、図６（Ａ）に示すように、例えばレーザ光によるハーフカット（ミシン線でもよい）で形成したものである。
【００３０】
すなわち、図６（Ｂ）に示すように、ＲＦＩＤラベルシート１１から一部の剥離紙１４Ａを切取線１６で剥離することによって粘着剤層１５Ａが表出され、介在部材１４Ｂが残存した状態となる。続いて、図６（Ｃ）に示すように、剥離紙１４の残存した介在部材１４Ｂを、左端部からＲＦＩＤインレット１３側に巻回状態で巻き込み、一方で、右端部からＲＦＩＤインレット１３側に巻回状態で巻き込むことで二つの巻折りの重ね形態が粘着剤層１５Ｂに貼着された形態のＲＦＩＤラベル１１Ａとさせる。そして、図６（Ｃ）に示すように、ＲＦＩＤラベル１１Ａを、金属表面の物品２１に、一の巻込折りの介在部材１４Ｂをその表面との間に介在させ、粘着剤層１５Ａにより貼付させるものである。
【００３１】
このように構成することによっても、上記同様に、外部力の影響を回避させることができ、また、材料の無駄を削減することができ、介在部材１４Ｂによって物品２１の表面に対してＲＦＩＤインレット１３を離隔させる新たな形態とさせることができるものである。
【００３２】
次に、図７に、本発明に係るＲＦＩＤラベルシート及びＲＦＩＤラベルの第５実施形態の構成図を示す。図７に示す第５実施形態は、図６に示す第４実施形態のＲＦＩＤラベルシート１１と略同一である。このような図７（Ａ）に示すＲＦＩＤラベルシート１１から、図７（Ｂ）に示すように、ＲＦＩＤラベルシート１１から一部の剥離紙１４Ａを切取線１６で剥離すると共に、残存した介在部材１４Ｂをも剥離する。
【００３３】
続いて、図７（Ｃ）に示すように、介在部材１４Ｂを巻回状態で巻き込むことで一の巻折り形態に形成させ、当該介在部材１４Ｂを粘着剤層１５Ｂに貼着させることでＲＦＩＤラベル１１Ａとさせる。そして、図７（Ｄ）に示すように、ＲＦＩＤラベル１１Ａを、金属表面の物品２１に、一の巻込折りの介在部材１４Ｂをその表面との間に介在させ、粘着剤層１５Ａにより貼付させるものである。
【００３４】
このように構成することによっても、上記同様に、外部力の影響を回避させることができ、また、材料の無駄を削減することができ、介在部材１４Ｂによって物品２１の表面に対してＲＦＩＤインレット１３を離隔させる新たな形態とさせることができるものである。
【産業上の利用可能性】
【００３５】
本発明のＲＦＩＤラベルシート及びＲＦＩＤラベルは、物品管理等のために物品情報が担持されるラベルの製造、使用に利用可能である。
【図面の簡単な説明】
【００３６】
【図１】本発明に係るＲＦＩＤラベルシートの第１実施形態の構成図である。
【図２】図１のＲＦＩＤラベルシートを物品に貼付させる形態のＲＦＩＤラベルの説明図である。
【図３】本発明に係るＲＦＩＤラベルシートの第２実施形態の構成図である。
【図４】図３のＲＦＩＤラベルシートを物品に貼付させる形態のＲＦＩＤラベルの説明図である。
【図５】本発明に係るＲＦＩＤラベルシート及びＲＦＩＤラベルの第３実施形態の構成図である。
【図６】本発明に係るＲＦＩＤラベルシート及びＲＦＩＤラベルの第４実施形態の構成図である。
【図７】本発明に係るＲＦＩＤラベルシート及びＲＦＩＤラベルの第５実施形態の構成図である。
【符号の説明】
【００３７】
１１            ＲＦＩＤラベルシート
１１Ａ          ＲＦＩＤラベル
１２            ラベル上紙
１３            ＲＦＩＤインレット
１４            剥離紙
１４Ｂ          介在部材
１５            粘着剤
１６            切取線
１７            加工線
２１            物品
【図１】
2010026678.tif 000003
【図２】
2010026678.tif 000004
【図３】
2010026678.tif 000005
【図４】
2010026678.tif 000006
【図５】
2010026678.tif 000007
【図６】
2010026678.tif 000008
【図７】
2010026678.tif 000009